(57)【特許請求の範囲】
【請求項１】
電磁誘導によって非接触で給電を行う給電部を有する浴槽本体と、該給電部から供給される電力を受電する受電部及び該受電部の受ける電力により動作して人体の健康管理データを計測する計測部を有し測定する健康管理データの種類によって複数の種別を有する健康測定機器と、からなり、
前記健康測定機器はデータの送受信を行う機器側送受信部を有し、前記浴槽本体はデータの送受信を行う浴槽側送受信部と、所定時間毎に、健康測定機器に信号処理動作に必要な微弱電力を供給するとともに確認信号を送信し、応答信号があれば健康機器全体が動作しうる動作電力を供給し、応答信号がなければ微弱電力の供給を停止する健康測定機器検出手段を有することを特徴とする健康管理浴槽。
【請求項２】
前記健康測定機器は健康測定機器の消費電力を測定する消費電力センサを有し、前記浴槽本体は健康測定機器に供給している電力を測定する供給電力センサと、消費電力センサの測定値と供給電力センサの測定値とが一定値以上離れている場合に給電部による電力の供給を停止する危険検出手段を有することを特徴とする請求項１記載の健康管理浴槽。
【請求項３】
前記健康測定機器は種別毎にＩＤ番号を有しており、前記浴槽本体は機器側送受信部と浴槽側送受信部とを介して受け取るＩＤ番号に応じた電力供給の制御を行う給電制御手段を有することを特徴とする請求項１又は請求項２記載の健康管理浴槽。
【請求項４】
前記浴槽本体は健康測定機器が測定した健康管理データを表示する表示部を有することを特徴とする請求項１乃至請求項３のいずれか１項に記載の健康管理浴槽。
【請求項５】
前記浴槽本体は被測定者の登録番号を入力する情報入力部と、登録番号と対応して健康管理データを記憶する記憶部と、今回計測した健康管理データと過去の健康管理データと健康管理データに対する評価とを表示部に表示させる情報処理手段とを有することを特徴とする請求項４記載の健康管理浴槽。
【請求項６】
前記情報処理手段は、被測定者の登録番号に対応した過去の健康管理データを記憶部から読みだして被測定者の個人的な標準健康管理データを作成し、該標準健康管理データと今回計測した健康管理データと過去の健康管理データと健康管理データに対する評価とを表示部に表示させることを特徴とする請求項５記載の健康管理浴槽。
【請求項７】
前記浴槽本体は被測定者の指紋パターンから被測定者を認証し登録番号を入力する測定者確認部を有することを特徴とする請求項５又は請求項６記載の健康管理浴槽。
【発明の詳細な説明】
【０００１】
【発明の属する技術分野】
本発明は、一般家庭で心電、血圧、心拍、血糖、体脂肪等の各種健康管理データを測定し健康管理を行う浴槽に関する。
【０００２】
【従来の技術】
従来、心電、血圧、心拍、血糖、体脂肪等の各種健康管理データを浴槽において測定する健康管理浴槽が医療機関などで用いられている。このような健康管理浴槽にあっては、心電測定用の浴槽、血圧と心拍測定用の浴槽など、１種類または数種類の予め特定された種類の健康管理データを測定するために専用化されている。
【０００３】
【発明が解決しようとする課題】
従来の健康管理浴槽にあっては、予め定められた健康管理データ以外の種類のデータを測定することができない。よって医療機関において、より多数の健康管理データを測定するためには複数種類の健康管理浴槽を設置する必要があった。また、在宅医療が注目されている現在において、数種類の健康管理データを測定することのできる健康管理浴槽を個人宅の風呂場に設置しようとすると、専用化された高価な設備を導入することとなるため、費用の関係で導入が見送られる場合がある。
【０００４】
一方、従来より用いられている血圧計などを風呂場に持ち込んで測定することも考えられるが、電池の取り出し口から水が侵入する等防水対策が十分でなく、また電気的安全性の確保がなされていないので、そのような使用は困難であった。
【０００５】
本発明は、上記問題点を改善するために成されたもので、その目的とするところは、一つの浴槽でもって多数種類の健康管理データを測定することのできる健康管理浴槽を提供することにある。
【０００６】
【課題を解決するための手段】
本発明は上記の問題を解決するために、請求項１記載の発明にあっては、電磁誘導によって非接触で給電を行う給電部を有する浴槽本体と、該給電部から供給される電力を受電する受電部及び該受電部の受ける電力により動作して人体の健康管理データを計測する計測部を有し測定する健康管理データの種類によって複数の種別を有する健康測定機器と、からなるものである。
【０００７】
さらに、前記健康測定機器はデータの送受信を行う機器側送受信部を有し、前記浴槽本体はデータの送受信を行う浴槽側送受信部と、所定時間毎に、健康測定機器に信号処理動作に必要な微弱電力を供給するとともに確認信号を送信し、応答信号があれば健康機器全体が動作しうる動作電力を供給し、応答信号がなければ微弱電力の供給を停止する健康測定機器検出手段を有することを特徴とするものである。
【０００８】
請求項２記載の発明にあっては、前記健康測定機器は健康測定機器の消費電力を測定する消費電力センサを有し、前記浴槽本体は健康測定機器に供給している電力を測定する供給電力センサと、消費電力センサの測定値と供給電力センサの測定値とが一定値以上離れている場合に給電部による電力の供給を停止する危険検出手段を有することを特徴とするものである。
【０００９】
請求項３記載の発明にあっては、前記健康測定機器は種別毎にＩＤ番号を有しており、前記浴槽本体は機器側送受信部と浴槽側送受信部とを介して受け取るＩＤ番号に応じた電力供給の制御を行う給電制御手段を有することを特徴とするものである。
【００１０】
請求項４記載の発明にあっては、前記浴槽本体は健康測定機器が測定した健康管理データを表示する表示部を有することを特徴とするものである。
【００１１】
請求項５記載の発明にあっては、前記浴槽本体は被測定者の登録番号を入力する情報入力部と、登録番号と対応して健康管理データを記憶する記憶部と、今回計測した健康管理データと過去の健康管理データと健康管理データに対する評価とを表示部に表示させる情報処理手段とを有することを特徴とするものである。
【００１２】
請求項６記載の発明にあっては、前記情報処理手段は、被測定者の登録番号に対応した過去の健康管理データを記憶部から読みだして被測定者の個人的な標準健康管理データを作成し、該標準健康管理データと今回計測した健康管理データと過去の健康管理データと健康管理データに対する評価とを表示部に表示させることを特徴とするものである。
【００１３】
請求項７記載の発明にあっては、前記浴槽本体は被測定者の指紋パターンから被測定者を認証し登録番号を入力する測定者確認部を有することを特徴とするものである。
【００１４】
【発明の実施の形態】
本発明にかかる健康管理浴槽の第一実施の形態を図１、図２に基づいて、第二実施の形態を図３に基づいて、第三実施の形態を図４に基づいて説明する。
【００１５】
〔第一実施の形態〕
図１は健康管理浴槽の構成を示すブロック図である。図２は健康管理浴槽の動作を説明するフローチャートである。
【００１６】
図１において、１は浴槽本体を示す。浴槽本体１の一側壁の上面には、健康測定機器２を載置する載置部３が設けられている。
【００１７】
浴槽本体１には、給電部４、浴槽側送受信部５、供給電力センサ６、制御部７、記憶部８、情報入力部９、表示部１０が設けてある。
【００１８】
健康測定機器２は、載置部３に載置されて血圧等の健康管理データを測定するものであって、受電部１１、機器側送受信部１２、消費電力センサ１３、制御部１４、計測部１５とを有している。そして健康測定機器２には測定する健康管理データに対応した種別があり、該種別毎にＩＤ番号が付与されている。また、健康測定機器２は筐体全体が防水処理されている。
【００１９】
給電部４は、電源線Ｌ１によって外部から供給される電力を、電磁誘導によって健康測定機器２の受電部１１に供給するものである。
【００２０】
浴槽側送受信部５は健康測定機器２の機器側送受信部１２とデータの送受信を行うものであり、発光ダイオードとフォトダイオードとから構成されている。詳しくは、浴槽側送受信部５は、機器側送受信部１２から受信したデータを制御部７に出力し、制御部７から入力されたデータを機器側送受信部１２に送信する。
【００２１】
給電部４と浴槽側送受信部５とは、載置部３の内側面に設けてあり、浴槽側送受信部５の位置する部分には、所定波長の光を通過させる部材で形成された窓部が防水して設けてあり、発光ダイオードとフォトダイオードとが該窓部を介して見えるように構成されている。
【００２２】
供給電力センサ６は、給電部４が、受電部１１に対して供給している電力を測定し、該測定結果である電力値を制御部７に出力するものである。
【００２３】
情報入力部９は、テンキーで構成されており、被測定者の登録番号を入力するものである。情報入力部９が、登録番号Ａが入力されると、制御部７の情報処理手段７ｄに出力する。なお、情報入力部９は、テンキーに限られるものではなく、タッチパネル等でも良い。また、浴槽本体１に設けずに、風呂場の外に設けるようにしても良い。
【００２４】
表示部１０は、文字や図形を表示するディスプレイであり、被測定者の健康管理データを表示する。
【００２５】
制御部７は、健康測定機器検出手段７ａ、危険検出手段７ｂ、給電制御手段７ｃ、情報処理手段７ｄを有している。
【００２６】
健康測定機器検出手段７ａは、所定時間間隔で、給電部４に健康測定機器２が信号の送受信などの信号処理動作をしうる微弱電力を供給させ、また浴槽側送受信部５を介して健康測定機器２に対して確認信号Ｓ１を出力する。健康測定機器検出手段７ａは健康測定機器２から確認信号Ｓ１に対応する応答信号Ｓ２がない場合には、載置部３には健康測定機器２が載置されていないと判断して、給電部４に微弱電力の供給を停止させる。一方、健康測定機器検出手段７ａは健康測定機器２から確認信号Ｓ１に対応する応答信号Ｓ２がある場合には、載置部３に健康測定機器２が載置されていると判断して、給電部４に微弱電力の供給を停止させない。
【００２７】
給電制御手段７ｃは、健康測定機器２から機器側送受信部１２、浴槽側送受信部５を介して健康測定機器２の種別固有のＩＤ番号を受け取ると、該ＩＤ番号から、健康測定機器２の種別に対応した動作電力の供給の制御を行う。即ち、健康測定機器２の種別によって、待機時の電力消費量、動作時の電力消費量、動作時間等が異なるため、給電制御手段７ｃは該種別に対応して必要なときに必要な電力を供給する制御を行う。
【００２８】
危険検出手段７ｂは、所定時間毎に供給電力センサ６と健康測定機器２の消費電力センサ１３との計測値を比較して安全か否かを判断する。詳しくは、危険検出手段７ｂは供給電力センサ６と消費電力センサ１３との計測値が略等しい場合には健康測定機器２において適切に電力が消費されていると判断し、供給電力センサ６と消費電力センサ１３との計測値に大きな差が生じている場合には、危険な状態であると判断して給電部４に電力の供給を停止させる。即ち、供給している電力と消費している電力とに大きな差がある場合、健康測定機器２で消費されなかった電力は、熱、電磁波等に変化して人体にとって危険な状態となるため、危険検出手段７ｂはこの状態を回避するために該電力の差を監視する。
【００２９】
情報処理手段７ｄは、健康測定機器２によって計測され機器側送受信部１２、浴槽側送受信部５を介して送信される健康管理データを受け取ると、該健康管理データを記憶部８に出力するとともに、記憶部８から登録番号Ａと対応して記憶されている過去の健康管理データを読みだして今回の健康管理データ及び該健康管理データに対する簡易な評価とともに表示部１０に表示する。また情報処理手段７ｄは健康管理データを信号線Ｌ２を介して外部医療機関等に送信する。
【００３０】
記憶部８は、該健康管理データを登録番号Ａと対応して記憶するものである。健康測定機器２の受電部１１は給電部４から電磁誘導によって給電を受けるものであり、該受け取った電力によって健康測定機器２は動作する。受電部１１は健康測定機器２を載置部３に載置したときに、給電部４と対応する位置に設けられている。
【００３１】
機器側送受信部１２は、浴槽本体１の浴槽側送受信部５とデータの送受信を行うものであり、発光ダイオードとフォトダイオードとから構成されている。詳しくは、機器側送受信部１２は、浴槽側送受信部５から受信したデータを制御部１４に出力し、制御部１４から入力されたデータを浴槽側送受信部５に送信する。発光ダイオードとフォトダイオードとは健康測定機器２の底面部内側面であって健康測定機器２を載置部３に載置したときに浴槽側送受信部５と対応する位置に設けられており、所定波長の光を通過させる部材で形成された窓部を介して外部から見えるようにされている。
【００３２】
消費電力センサ１３は、健康測定機器２において消費された電力を計測し、該計測された電力値を機器側送受信部１２及び浴槽側送受信部５を介して、浴槽本体１の制御部７に送信する。
【００３３】
計測部１５は、血圧等の健康管理データを測定するものであって、計測した健康管理データを制御部１４に出力する。
【００３４】
制御部１４は計測部１５の動作を制御するとともに、計測部１５から受け取る健康管理データを機器側送受信部１２及び浴槽側送受信部５を介して、浴槽本体１の制御部７に送信する。また、浴槽本体１側の制御部７から確認信号Ｓ１を受信すると、応答信号Ｓ２を制御部７に送信するとともに、健康測定機器２の種別を表すＩＤ番号を制御部７に送信する。
【００３５】
次に、以上のようにして構成された健康管理浴槽の動作を説明する。まず、浴槽本体１から健康測定機器２への給電動作について説明する。
【００３６】
健康測定機器検出手段７ａは、所定時間間隔で給電部４に健康測定機器２が動作しうる最小の微弱電力を供給させる（ステップＳ１０１）。健康測定機器検出手段７ａは健康測定機器２から確認信号Ｓ１に対応する応答信号Ｓ２が送信されないのを確認すると（ステップＳ１０２）、給電部４に微弱電力の供給を停止させ（ステップＳ１０３）、一方、健康測定機器検出手段７ａは、載置部３に健康測定機器２が載置されていて、健康測定機器２から確認信号Ｓ１に対応する応答信号Ｓ２があったのを確認すると（ステップＳ１０２）、給電部４に微弱電力の供給を停止させない。
【００３７】
そして、給電制御手段７ｃは、健康測定機器２から種別固有のＩＤ番号を受け取ると（ステップＳ１０４）、該ＩＤ番号から健康測定機器２の種別に対応した電力供給の制御を行う（ステップＳ１０５）。
【００３８】
次に、供給電力センサ６が給電部４の供給している電力を測定し（ステップＳ１０６）、消費電力センサ１３が健康測定機器２において消費された電力を計測し（ステップＳ１０７）、危険検出手段７ｂが供給電力と消費電力とを比較して安全か否かを判断する（ステップＳ１０８）。そして供給電力センサ６と消費電力センサ１３との計測値に大きな差が生じている場合には、危険検出手段７ｂは危険な状態であると判断して給電部４に電力の供給を停止させる（ステップＳ１０９）。給電部４から受電部１１への給電中は以上のステップ１０５からステップ１０８の動作が繰り返して行われる。
【００３９】
以上のようにして、健康測定機器２を載置部３に載置するだけで健康測定機器２に給電がされる。従って、健康測定機器２に電池の取り出し口等を設ける必要がないので、完全に防水処理して気密にすることができる。
【００４０】
次に、健康管理データの測定及び表示の動作を説明する。
被測定者は、健康測定機器２を載置部３に載置するとともに、自己の登録番号Ａを情報入力部９から入力する。その後、上述のようにして健康測定機器２に給電がされるので、被測定者は健康測定機器２の計測部１５によって健康管理データの測定を行う。すると、計測部１５は、該計測した健康管理データを制御部１４に出力し、制御部１４は制御部７に送信する。制御部７の情報処理手段７ｄは該健康管理データを先程入力された登録番号Ａに基づいて記憶部８に記憶させる。そして、情報処理手段７ｄは登録番号Ａと対応して記憶されている過去の健康管理データを読み出して今回計測された健康管理データ及び該健康管理データに対する簡易な評価を表示部１０に表示し、また健康管理データを信号線Ｌ２を介して外部の医療機関に送信する。
【００４１】
従って、被測定者は今回測定した健康管理データとともに、過去の健康管理データをも見ることができ、健康状態の推移を確認することができる。また、外部の医療機関においては、送信された健康管理データを監視することにより、遠隔地にいる被測定者の健康状態を管理することができる。
【００４２】
〔第二実施の形態〕
図３は健康管理浴槽の構成を示すブロック図である。なお、図３においては前述の第一実施の形態で説明したところの健康管理浴槽と同等の箇所には同じ符号を付してあるので、同等の箇所の詳細な説明は省略する。
【００４３】
図３に示す本第二実施の形態の健康管理浴槽が、前述の第一実施の形態で説明したところの健康管理浴槽と異なり特徴となるのは次の構成である。
【００４４】
即ち、浴槽本体１に測定者確認部１６を設けた構成である。測定者確認部１６はＣＣＤカメラを有して構成されており、測定者が測定者確認部１６に予め定めれた指をあてがうと、指紋を取り込んで、該指紋のパターンから被測定者の認証を行うものである。従って、被測定者の認証を簡単に行うことができる。
【００４５】
〔第三実施の形態〕
図４は健康管理浴槽の構成を示すブロック図である。なお、図４においては前述の第一実施の形態で説明したところの健康管理浴槽と同等の箇所には同じ符号を付してあるので、同等の箇所の詳細な説明は省略する。
【００４６】
図４に示す本第三実施の形態の健康管理浴槽が、前述の第一実施の形態で説明したところの健康管理浴槽と異なり特徴となるのは次の構成である。
【００４７】
即ち、情報処理手段７ｅは、登録番号Ａと対応して記憶されている過去の健康管理データを読み出して、登録番号Ａの被測定者の個人的な標準健康管理データを作成し、該個人的標準健康管理データと今回計測された健康管理データ及び該健康管理データに対する簡易な評価を表示部１０に表示するようにした構成である。標準健康管理データとは、健康と判断される範囲を示すものであって、測定された健康管理データが標準健康管理データの範囲内であれば健康であり、標準健康管理データの範囲外であれば健康を害している恐れがあると判断されるものである。
【００４８】
健康管理データは個人差があるため健康か否かは、一般的な標準健康管理データと測定した健康管理データとを比較することによっては判断できないことが多い。情報処理手段７ｅは、特定の被測定者についての個人的な標準健康管理データを作成して表示するので、該作成された標準健康管理データと今回測定した健康管理データとを比較することにより、被測定者はより正確に自己の健康状態を把握することができる。
【００４９】
なお、本第一実施の形態では、給電制御手段７ｃは、ＩＤ番号に基づいて電力供給の制御を行うとしているが、併せて消費電力と供給電力とが一致するように制御を行っても良い。
【００５０】
【発明の効果】
本発明の健康管理浴槽は上述のように構成してあるから、請求項１記載の発明にあっては、給電部が電磁誘導によって非接触で給電を行い、受電部が給電部から供給される電力を受けて、計測部は該電力により動作して人体の健康管理データを計測するので、健康計測機器に電池の取り出し口を設ける必要がなく、よって健康計測機器に防水処理をすることができ、また浴槽本体に載置する健康計測機器を他の種別に交換することにより多数の種類の健康管理データを測定することができる健康管理浴槽を提供できるという効果を奏する。
【００５１】
さらに、健康測定機器検出手段が、所定時間毎に健康測定機器に信号処理動作に必要な微弱電力を供給するとともに確認信号を送信し、応答信号があれば健康機器全体が動作しうる動作電力を供給し、応答信号がなければ微弱電力の供給を停止し、よって給電部は健康測定機器が載置されている場合にのみ電力を供給するので、より安全に電力を供給できる健康管理浴槽を提供できるという効果を奏する。
【００５２】
請求項２記載の発明にあっては、危険検出手段は消費電力センサの測定値と供給電力センサの測定値とが一定値以上離れている場合に給電部による電力の供給を停止するので、より安全に電力を供給できる健康管理浴槽を提供できるという効果を奏する。
【００５３】
請求項３記載の発明にあっては、健康測定機器は種別毎にＩＤ番号を有しており、給電制御手段はＩＤ番号に応じた電力供給の制御を行うので、健康測定機器の種別に応じた最適な電力の供給をすることができる健康管理浴槽を提供できるという効果を奏する。
【００５４】
請求項４記載の発明にあっては、表示部は健康測定機器が測定した健康管理データを表示するので、被測定者は該表示部を見ることにより自己の健康状態をすぐさま確認することのできる健康管理浴槽を提供できるという効果を奏する。
【００５５】
請求項５記載の発明にあっては、情報入力部により被測定者の登録番号を入力し、記憶部が登録番号と対応して健康管理データを記憶し、情報処理手段が今回計測した健康管理データと過去の健康管理データと健康管理データに対する評価とを表示部に表示させるので、被測定者は今回測定した健康管理データと過去の健康管理データとから自己の健康状態を確認することができる健康管理浴槽を提供できるという効果を奏する。
【００５６】
請求項６記載の発明にあっては、情報処理手段は、被測定者の登録番号に対応した過去の健康管理データを記憶部から読みだして被測定者の個人的な標準健康管理データを作成し、該標準健康管理データと今回計測した健康管理データと過去の健康管理データと健康管理データに対する評価とを表示部に表示させるので、個々の被測定者に適合した健康状態の判断をすることのできる健康管理浴槽を提供できるという効果を奏する。
【００５７】
請求項７記載の発明にあっては、測定者確認部は被測定者の指紋パターンから被測定者を認証し登録番号を入力するので、より容易に登録番号を入力することのできる健康管理浴槽を提供できるという効果を奏する。
【図面の簡単な説明】
【図１】本発明の健康管理浴槽の一構成を示すブロック図である。
【図２】健康管理浴槽の動作を説明するフローチャートである。
【図３】本発明の健康管理浴槽の他の構成を示すブロック図である。
【図４】本発明の健康管理浴槽の他の構成を示すブロック図である。
【符号の説明】
１    浴槽本体
２    健康測定機器
４    給電部
５    浴槽側送受信部
６    供給電力センサ
７ａ  健康測定機器検出手段
７ｂ  危険検出手段
７ｃ  給電制御手段
７ｄ  情報処理手段
７ｅ  情報処理手段
８    記憶部
９    情報入力部
１０  表示部
１１  受電部
１２  機器側送受信部
１３  消費電力センサ
１５  計測部
１６  測定者確認部
【図１】
0003823374.tif 000002
【図２】
0003823374.tif 000003
【図３】
0003823374.tif 000004
【図４】
0003823374.tif 000005